【手続補正書】
【提出日】平成30年4月19日(2018.4.19)
【手続補正１】
【補正対象書類名】明細書
【補正対象項目名】発明の名称
【補正方法】変更
【補正の内容】
【発明の名称】画像形成装置、及び画像形成装置の制御方法  
【手続補正２】
【補正対象書類名】明細書
【補正対象項目名】０００１
【補正方法】変更
【補正の内容】
【０００１】
本発明は、画像形成装置、及び画像形成装置の制御方法に関する。
【手続補正３】
【補正対象書類名】明細書
【補正対象項目名】００１１
【補正方法】変更
【補正の内容】
【００１１】
上記目的を達成するために、本発明の画像形成装置は、プリンタエンジンを備え、通常モード及び省電力モードで作動する画像形成装置において、メインシステムと、前記メインシステムと通信可能に接続されるサブシステムと、前記プリンタエンジンを制御し、前記サブシステムと通信可能に接続されるエンジンコントローラとを備え、前記画像形成装置が前記省電力モードから前記通常モードに復帰する場合に、前記サブシステムは、前記メインシステムと前記サブシステムとの通信に必要なソフトウェアの起動が完了する前に、前記サブシステムと前記エンジンコントローラとの通信に必要なソフトウェアの起動を開始し、前記メインシステムから取得した前記画像形成装置のデバイス情報を前記エンジンコントローラへ送信することを特徴とする。
【手続補正４】
【補正対象書類名】特許請求の範囲
【補正対象項目名】全文
【補正方法】変更
【補正の内容】
【特許請求の範囲】
【請求項１】
プリンタエンジンを備え、通常モード及び省電力モードで作動する画像形成装置において、
メインシステムと、
前記メインシステムと通信可能に接続されるサブシステムと、
前記プリンタエンジンを制御し、前記サブシステムと通信可能に接続されるエンジンコントローラとを備え、
前記画像形成装置が前記省電力モードから前記通常モードに復帰する場合に、前記サブシステムは、前記メインシステムと前記サブシステムとの通信に必要なソフトウェアの起動が完了する前に、前記サブシステムと前記エンジンコントローラとの通信に必要なソフトウェアの起動を開始し、前記メインシステムから取得した前記画像形成装置のデバイス情報を前記エンジンコントローラへ送信することを特徴とする画像形成装置。
【請求項２】
前記メインシステムは、前記画像形成装置が前記省電力モードから前記通常モードに復帰する場合に、前記サブシステムの起動プログラムと共に前記デバイス情報を、前記サブシステムに送信することを特徴とする請求項１記載の画像形成装置。
【請求項３】
前記デバイス情報は、前記エンジンコントローラが前記プリンタエンジンを制御するための情報であることを特徴とする請求項１又は２記載の画像形成装置。
【請求項４】
プリンタエンジンと、メインシステムと、前記メインシステムと通信可能に接続されるサブシステムと、前記プリンタエンジンを制御し、前記サブシステムと通信可能に接続されるエンジンコントローラとを備え、通常モード及び省電力モードで作動する画像形成装置の制御方法であって、
前記画像形成装置が省電力モードから前記通常モードに復帰する場合に、前記サブシステムは、前記メインシステムと前記サブシステムとの通信に必要なソフトウェアの起動が完了する前に、前記サブシステムと前記エンジンコントローラとの通信に必要なソフトウェアの起動を開始し、前記メインシステムから取得した前記画像形成装置のデバイス情報を前記エンジンコントローラへ送信する画像形成装置の制御方法。
【請求項５】
前記メインシステムは、前記画像形成装置が前記省電力モードから前記通常モードに復帰する場合に、前記サブシステムの起動プログラムと共に前記デバイス情報を、前記サブシステムに送信することを特徴とする請求項４記載の画像形成装置の制御方法。
【請求項６】
前記デバイス情報は、前記エンジンコントローラが前記プリンタエンジンを制御するための情報であることを特徴とする請求項４又は５記載の画像形成装置の制御方法。
【請求項７】
通常モード及び省電力モードで作動する画像形成装置において、
プリンタエンジンと、
メインシステムと、
前記メインシステムと通信可能に接続されるサブシステムと、
前記プリンタエンジンを制御し、前記サブシステムと通信可能に接続されるエンジンコントローラとを備え、
前記画像形成装置が前記省電力モードから前記通常モードに復帰する場合に、前記サブシステムは、前記メインシステムと前記サブシステムとの通信に必要なソフトウェアの起動が完了する前に、前記サブシステムと前記エンジンコントローラとの通信に必要なソフトウェアの起動を開始し、前記メインシステムから取得した前記画像形成装置のデバイス情報を前記エンジンコントローラへ送信することを特徴とする画像形成装置。
【請求項８】
前記メインシステムは、前記画像形成装置が前記省電力モードから前記通常モードに復帰する場合に、前記サブシステムの起動プログラムと共に前記デバイス情報を、前記サブシステムに送信することを特徴とする請求項７記載の画像形成装置。
【請求項９】
前記起動プログラム及び前記デバイス情報は、前記メインシステムからＤＭＡ転送されることを特徴とする請求項８記載の画像形成装置。
【請求項１０】
前記メインシステムは、前記メインシステムが前記起動プログラム及び前記デバイス情報を前記サブシステムに送信した後に、前記メインシステムは前記サブシステムをリセットすることを特徴とする請求項８又は９記載の画像形成装置。
【請求項１１】
前記メインシステムと前記サブシステムとの通信に必要なソフトウェアは、前記メインシステムのＣＰＵと前記サブシステムのＣＰＵとの通信に必要なソフトウェアであることを特徴とする請求項７乃至１０のいずれか１項に記載の画像形成装置。
【請求項１２】
前記サブシステムと前記エンジンコントローラとの通信に必要なソフトウェアは、前記サブシステムのＣＰＵと前記エンジンコントローラのＣＰＵとの通信に必要なソフトウェアであることを特徴とする請求項７乃至１１のいずれか１項に記載の画像形成装置。
【請求項１３】
前記メインシステムはメインボードの中に設けられ、前記サブシステムはサブボードの中に設けられていることを特徴とする請求項７乃至１２のいずれか１項に記載の画像形成装置。
【請求項１４】
前記メインシステムは、前記デバイス情報を格納する不揮発性メモリを有することを特徴とする請求項７乃至１３のいずれか１項に記載の画像形成装置。
【請求項１５】
前記メインシステムは、前記サブシステムの起動プログラムを格納する不揮発性メモリを有することを特徴とする請求項８乃至１４のいずれか１項に記載の画像形成装置。
【請求項１６】
前記デバイス情報は、前記エンジンコントローラが前記プリンタエンジンを制御するための情報であることを特徴とする請求項７乃至１５のいずれか１項に記載の画像形成装置の制御方法。
【請求項１７】
通常モード及び省電力モードで作動する画像形成装置であって、プリンタエンジンと、メインシステムと、前記メインシステムと通信可能に接続されるサブシステムと、前記プリンタエンジンを制御し、前記サブシステムと通信可能に接続されるエンジンコントローラとを備える画像形成装置の制御方法において、
前記画像形成装置が前記省電力モードから前記通常モードに復帰する場合に、前記サブシステムの駆動プログラムと前記画像形成装置のデバイス情報を前記メインシステムから送信し、
前記サブシステムにおいて、前記メインシステムと前記サブシステムとの通信に必要なソフトウェアの起動が完了する前に、前記サブシステムと前記エンジンコントローラとの通信に必要なソフトウェアの起動を開始し、
前記画像形成装置のデバイス情報を前記エンジンコントローラへ送信することを特徴とする画像形成装置の制御方法。